(57)【要約】【課題】投射型表示装置の冷却ファンの隙間より、装置内の光が外部に漏れる、という問題があった。また、ファンの騒音が視聴の妨げになるという問題があった。【解決手段】回転駆動源となるモータ１１と、モータ１１の回転によってモータ１１の回転軸方向へ送風する、所定の光透過エリア２０を有する送風手段１２と、送風手段１２の空気吐出側に設けられ、遮光部分と開口部分１０２、１０３とを有する、第１の導風部材１０１と、送風手段１２の空気吐出側に設けられ、遮光部分と開口部分１０５、１０６とを有する、第２の導風部材１０４とを備え、送風手段１２の空気吐出側正面から見て、光透過エリア２０と、第１の導風部材１０１の開口部１０２、１０３と、第２の導風部材１０４の開口部１０５、１０６と、が同時に重なることはない。【選択図】  図１
2004239221.tif 000002
【特許請求の範囲】
【請求項１】
回転駆動源となるモータと、
前記モータの回転によって前記モータの回転軸方向へ送風する、所定の光透過エリアを有する送風手段と、
前記送風手段の空気吐出側に設けられ、遮光部分と開口部分とを有する、第１の導風部材と、
前記送風手段の空気吐出側に設けられ、遮光部分と開口部分とを有する、第２の導風部材とを備え、
前記送風手段の空気吐出側正面から見て、前記光透過エリアと、前記第１の導風部材の開口部と、前記第２の導風部材の開口部と、が同時に重なることはない、ファン装置。
【請求項２】
前記第１の導風部材は、錐体形状を有し、先端部は前記送風手段とは反対方向に向かい、側壁面に前記開口部を有し、
前記第２の導風部材は、有底筒状の形状であって、前記第１の導風部材の外側に被せられており、その底面に前記開口部を有する、請求項１記載のファン装置。
【請求項３】
前記送風手段の空気吐出側正面から見て、
前記第１の導風部材の開口部の面積の総和は、前記送風手段の面積の３０％以上であり、
前記第２の導風部材の開口部の面積の総和は、前記送風手段の面積の３０％以上である、請求項１または請求項２に記載のファン装置。
【請求項４】
前記第２の導風部材は、前記第１の導風部材と相対的に、前記モータの回転中心を中心として回動し、回動可能な範囲の任意の位置に係止し固定できる、請求項１乃至３のいずれかに記載のファン装置。
【請求項５】
前記第２の導風部材が回動可能な範囲のいずれの位置においても、
前記送風手段の空気吐出側正面から見て、前記光透過エリアと、前記第１の導風部材の開口部と、前記第２の導風部材の開口部と、が同時に重なることはない、請求項４に記載のファン装置。
【請求項６】
光源と、
前記光源からの出射光を受け光学像を形成するライトバルブと、
前記ライトバルブからの出射光が入射し前記光学像をスクリーン上に投写する投写レンズと、
前記光源及び前記光源の周辺を冷却する冷却手段とを備え、
前記冷却手段は、請求項１乃至５のいずれかに記載のファン装置である、投写型表示装置。
【請求項７】
一または複数の発熱部材と、
前記発熱部材を所望の状態まで強制空冷するための、空気の吸気開口部及び排気開口部を有する筐体と、
前記吸気開口部と前記排気開口部の、いずれか一方または両方に、強制空冷させる冷却手段とを備え、
少なくとも一の前記冷却手段は、請求項１乃至５のいずれかに記載のファン装置である、電子機器。
【発明の詳細な説明】
【０００１】
【発明の属する技術分野】
本発明は、冷却目的に使用されるファン装置に関するものである。例えば、投写型表示装置、パーソナルコンピュータ等で使用されるファン装置である。
【０００２】
【従来の技術】
近年、投写型表示装置は、画像情報をより鮮明に投影するために、高解像度のライトバルブデバイス、例えば液晶パネルユニットが用いられ、投影画面を更に明るくするための高輝度化が進められている。また、ノートパソコンなどのパーソナルコンピュータの普及拡大により、画像出力装置として、電子プレゼンテーションにも多く用いられるようになってきている。また、ホームシアター用などの投写型表示装置も普及してきている。
【０００３】
高輝度化に伴い、光源ランプの定格入力電力も大きくなり、発光強度が大きくなり、光源ランプなどの冷却性能の確保が必要となっている。従来、その冷却用のファン装置として、電子機器等で使用されている軸流プロペラファンが多く採用されている。
【０００４】
図１１に、従来のファン装置である冷却ファンの概要を示している。モータ１１のロータに一体的に形成された、複数のプロペラ羽根からなるプロペラ１２が、モータ１１の回転に伴って回転させられる。ハウジング１０は、モータ１１の回転中心と概ね一致した位置でモータ１１を保持している。このハウジング１０に形成された空気導風路１３で、モータ１１の回転軸方向に空気の流通が行われるものである（例えば、特許文献１参照）。
【０００５】
また、パーソナルコンピュータ等の電子機器においては、処理速度の高速化などに伴い、ＣＰＵ等の発熱量が大きくなってきている。その対応として、筐体に吸気及び排気口を設け、冷却ファンで排気を行い所望の冷却を達成している。また、ＣＰＵ等の発熱量の増大に伴い、冷却ファンが大型化してきている。
【０００６】
【特許文献１】
特開２００１−３２９９９７号公報
【０００７】
【発明が解決しようとする課題】
以上説明したように、従来の投写型表示装置は画像情報をより鮮明に投影するために、高解像・高精細のライトバルブデバイスが用いられるようになっている。さらに、視聴室内を暗くしなくても、スクリーン上の画像が鮮明に見えるようにするため、投影画面を更に明るくするための高輝度化、ひいては光源ランプユニットの高電力化が進められている。また、ホームシアター用なども普及してきており、映画等の視聴の妨げにならないよう、騒音が小さく、不要な光が装置外部に漏れない投写型表示装置が強く望まれている。
【０００８】
しかしながら、従来、一般的に冷却用に使用されている軸流プロペラファンでは、プロペラの羽根の隙間等から、投射型表示装置内部の光が外部に漏れてしまう、という問題があった。
【０００９】
また、排気ファンにより投射型表示装置内部の冷却を行なっているが、高電力の光源ランプユニットの発熱量が大きくなるに伴って、排気ファンを高回転で駆動させるようになってきている。それにより、排気ファンの風切り音による騒音が大きくなり、視聴の妨げになるという問題があった。
【００１０】
また、従来のパーソナルコンピュータ等の電子機器は、処理速度が大幅に向上し、ＣＰＵをはじめ、種々の駆動ＩＣなどを実装した回路基板などの配置によって、筐体内部の温度上昇は増加する傾向にある。筐体内部の冷却を満足させるために、大きな軸流ファンを装着したり、セット内部へのほこりなどの侵入を防ぐための防塵構造を設けたりして、構造の複雑化や大型化は避けられない課題となっている。また、筐体の排気開口部に備えられたファン装置のプロペラと空気導風路の隙間から、筐体内部が使用者に露骨に見えるため、品位が落ちるという課題があった。
【００１１】
本発明は、上記の従来の問題点を考慮し、装置内部の光が外部に漏れず、外部から装置の内部が見えない機構のファン装置等を提供することを目的とする。また別の本発明は、外部からのほこりの侵入を抑制するファン装置等を提供することを目的とする。また別の本発明は、冷却に伴う風切り騒音を低く抑えるファン装置等を提供することを目的とする。
【００１２】
【課題を解決するための手段】
この課題を解決するために、第１の本発明は、
回転駆動源となるモータ（１１）と、
前記モータ（１１）の回転によって前記モータ（１１）の回転軸方向へ送風する、所定の光透過エリア（２０）を有する送風手段（１２）と、
前記送風手段（１２）の空気吐出側に設けられ、遮光部分と開口部分（１０２、１０３）とを有する、第１の導風部材（１０１）と、
前記送風手段（１２）の空気吐出側に設けられ、遮光部分と開口部分（１０５、１０６）とを有する、第２の導風部材（１０４）とを備え、
前記送風手段（１２）の空気吐出側正面から見て、前記光透過エリア（２０）と、前記第１の導風部材（１０１）の開口部（１０２、１０３）と、前記第２の導風部材（１０４）の開口部（１０５、１０６）と、が同時に重なることはない、ファン装置である。
【００１３】
第２の本発明は、
前記第１の導風部材（１０１）は、錐体形状を有し、先端部は前記送風手段（１２）とは反対方向に向かい、側壁面に前記開口部（１０３）を有し、
前記第２の導風部材（１０４）は、有底筒状の形状であって、前記第１の導風部材（１０１）の外側に被せられており、その底面に前記開口部（１０６）を有する、第１の本発明のファン装置である。
【００１４】
第３の本発明は、
前記送風手段（１２）の空気吐出側正面から見て、
前記第１の導風部材（１０１）の開口部（１０２、１０３）の面積の総和は、前記送風手段（１２）の面積の３０％以上であり、
前記第２の導風部材（１０４）の開口部（１０５，１０６）の面積の総和は、前記送風手段（１２）の面積の３０％以上である、第１または第２の本発明のファン装置である。
【００１５】
第４の本発明は、
前記第２の導風部材（４０５）は、前記第１の導風部材（４０１）と相対的に、前記モータ（１１）の回転中心を中心として回動し、回動可能な範囲の任意の位置に係止し固定できる、第１乃至第３のいずれかの本発明のファン装置である。
【００１６】
第５の本発明は、
前記第２の導風部材（４０５）が回動可能な範囲のいずれの位置においても、
前記送風手段（１２）の空気吐出側正面から見て、前記光透過エリア（２０）と、前記第１の導風部材（４０１）の開口部（４０２、４０３）と、前記第２の導風部材（４０５）の開口部（４０６、４０７）と、が同時に重なることはない、第４の本発明のファン装置である。
【００１７】
第６の本発明は、
光源（１）と、
前記光源（１）からの出射光を受け光学像を形成するライトバルブ（３）と、
前記ライトバルブ（３）からの出射光が入射し前記光学像をスクリーン上に投写する投写レンズ（５）と、
前記光源（１）及び前記光源（１）の周辺を冷却する冷却手段（２０１）とを備え、
前記冷却手段（２０１）は、第１乃至第５のいずれかの本発明のファン装置である、投写型表示装置である。
【００１８】
第７の本発明は、
一または複数の発熱部材（３０２）と、
前記発熱部材（３０２）を所望の状態まで強制空冷するための、空気の吸気開口部及び排気開口部（３０３）を有する筐体（３０１）と、
前記吸気開口部と前記排気開口部（３０３）の、いずれか一方または両方に、強制空冷させる冷却手段（３０４）とを備え、
少なくとも一の前記冷却手段（３０４）は、第１乃至第５のいずれかの本発明のファン装置である、電子機器である。
【００１９】
【発明の実施の形態】
以下、本発明の実施の形態について、図面を参照しながら説明する。
【００２０】
（実施の形態１）
図１は、本発明の実施の形態１のファン装置を示す。図１（ａ）は平面図であり、図１（ｂ）はモータ１１の回転軸方向、すなわち空気吐出側正面から見た正面図である。
【００２１】
図１（ａ）において、１１は、回転駆動源となるモータである。ハウジング１０の空気吸入側の面は、空気の流れの妨げにならないようスポーク状に形成されている。そのハウジング１０のスポーク状の中心に、モータ１１のステータ側の回転中心が係止されている。１２は、モータ１１の回転体となるロータの外周部に一体的に複数形成されたプロペラであり、本発明の送風手段としての一例である。空気導風路１３は、ハウジング１０の穴の空気が流通する部分である。第１の導風部材１０１は、フレームであって、モータ１１の回転によって回転させられるプロペラ１２によって吐出される空気の導風路を構成している。そして、第１の導風部材１０１は、ハウジング１０に隙間無く接合されている。また、１０４も、フレームであって、プロペラ１２によって吐出され第１の導風部材１０１を経由した空気が流通する、円筒形の第２の導風部材である。
【００２２】
図２に第１の導風部材１０１の詳細を示している。図２（ａ）は平面図であり、図２（ｂ）はモータ１１の回転軸方向、すなわち空気吐出側正面から見た正面図であり、図２（ｃ）は斜視図である。
【００２３】
第１の導風部材１０１は、プロペラ１２とは反対方向に先端を有する円錐形状である。そして、その円錐形状の先端部は開口しており、その開口面の面積は、空気吐出側正面から見たモータ１１の外形の面積に概ね一致している。そして、第１の導風部材１０１で構成される導風路は、円錐形状の先端部分の開口部である第１の導風路１０２と、円錐形状壁面の開口部である第２の導風路１０３と、円錐形状内部の空間の主導風路１１０とから構成される。
【００２４】
空気吐出側正面から見ると、第１の導風路１０２の面積はモータ１１の外形の面積程度しかないため、第１の導風部材１０１の開口部である第１の導風路１０２からはプロペラ１２は見えない。ここで、第１の導風路１０２を、図２（ｂ）ではクロス斜線で示している。
【００２５】
そして、第１の導風部材１０１の円錐状壁面の２箇所の開口部（図２（ｂ）の斜線部分）が、第２の導風路１０３である。従って、第１の導風部材１０１の主導風路１１０を流通するプロペラ１２から吐出された空気は、図１（ａ）に示す矢印の方向すなわち空気吐出側に向かって、第１の導風路１０２及び第２の導風路１０３の３箇所の開口部から流れ出す。また、空気吐出側正面から投影的に見た、第１の導風路１０２と第２の導風路１０３との３箇所の開口部の面積の総和は、ハウジング１０の導風路面積に比べ、少なくとも３０％以上確保するようにしている。ここで、ハウジング１０の導風路とは、モータ１１及びプロペラ１２が収まるハウジング１０の穴の部分を示しており、ハウジング１０の導風路面積とは、その穴の部分の断面積を示している。
【００２６】
次に、図３に第２の導風部材１０４の詳細を示している。図３（ａ）は平面図であり、図３（ｂ）はモータ１１の回転軸方向、すなわち空気吐出側正面から見た正面図であり、図３（ｃ）は斜視図である。
【００２７】
第２の導風部材１０４は、図１（ａ）に示すように、第１の導風部材１０１の円錐状壁面の最大外径の円周部分で、空気吐出側から密閉的に装着及び嵌合されている。従って、第１の導風部材１０１の外壁と第２の導風部材１０４の内壁とで、複数の開口部（第２の導風路１０３及び第４の導風路１０６）を除き、図１（ａ）に示す密閉的なすり鉢状の空間１０７が形成される。
【００２８】
そして、第２の導風部材１０４の円筒形の底面部に、第１の導風部材１０１の第１の導風路１０２に概ね一致する開口部を有する。この第２の導風部材１０４の開口部が、第３の導風路１０５（図３（ｂ）においてクロス斜線で示す）である。そして、円筒形の同じ底面部に、図３（ｂ）の斜線で示す２箇所の開口部を有する。この２箇所の開口部が、第４の導風路１０６である。
【００２９】
ここで、空気吐出側正面から投影的に見た、第３の導風路１０５と第４の導風路１０６との３箇所の開口部の面積の総和は、ハウジング１０の導風路面積に比べ、少なくとも３０％以上確保するようにしている。
【００３０】
なお、第１の導風路１０２、第２の導風路１０３、第３の導風路１０５及び第４の導風路１０６は、本発明の開口部分としての一例である。そして、第１の導風部材１０１及び第２の導風部材１０４の、これらの開口部分以外のフレームの部分が、本発明の遮光部分となる。
【００３１】
本実施の形態１のファン装置は、第１の導風部材１０１及び第２の導風部材１０４が装着されていない状態では、従来のファン装置と同様の図４に示す構造となる。この状態で、空気吐出側正面から見ると、ハウジング１０の穴の部分に、空気吸入側の光が見える部分が存在する。この空気吸入側の光が見える部分である光透過エリア２０は、第１の光透過エリア２１と第２の光透過エリア２２から構成される。第１の光透過エリア２１は、プロペラ１２とハウジング１０との隙間の部分であり、図４の右下がり斜線で示す部分である。第２の光透過エリア２２は、図４の右上がり斜線で示すプロペラ１２の移動する領域であり、プロペラ１２が回転している際には、この領域から空気吐出側の光が見える。
【００３２】
本実施の形態１のファン装置では、空気吐出側正面から見た場合には、第１の光透過エリア２１は、第１の導風部材１０１の開口部である第２の導風路１０３とは重ならない構成になっている。つまり、第１の光透過エリア２１は、第１の導風部材１０１の円錐形状の側壁の部分に重なるため、空気吐出側正面からは第１の光透過エリア２１は見えない。
【００３３】
また、図１（ｂ）のように、第２の導風路１０３（クロス斜線部分）と第４の導風路１０６（斜線部分）は、空気吐出側正面から見た場合に、重ならない構造となっている。つまり、第２の導風部材１０４の開口部である第４の導風路１０６からは、第２の光透過エリア２２は見えない。
【００３４】
また、空気吐出側正面から見た場合、第２の導風部材１０４の開口部である第３の導風路１０５からは、モータ１１のロータの部分しか見えず、プロペラ１２の部分すなわち第２の光透過エリア２２は見えない構造となっている。
【００３５】
従って、本実施の形態１のファン装置では、空気吐出側正面から見た場合、光透過エリア２０は全く見えないことになる。つまり、空気吸入側の光は空気吐出側には全く漏れず、空気吸入側からの光を完全に遮光できる。
【００３６】
次に、本実施の形態１のファン装置における空気の流れについて、図１から図３を用いて説明する。
【００３７】
図２において、駆動源であるモータ１１に所望の回転駆動条件が与えられると、モータ１１は所望の回転数で回転させられ、モータ１１と一体となったプロペラ１２も一体的に回転する。ハウジング１０にて形成される導風路１３において、プロペラ１２の上下流で圧力差が生じ、空気は、円錐状の第１の導風部材１０１内の主導風路１１０を案内させられて導風される。そして、主導風路１１０を案内された空気は、第１の導風路１０２と第２の導風路１０３に分かれて流出する。
【００３８】
また、図１（ａ）において、第１の導風部材１０１から流出した空気は、第２の導風部材１０４の開口部である、第３の導風路１０５および第４の導風路１０６を経由して、矢印の方向へ吐出される。
【００３９】
従って、第１の導風部材１０１の第１の導風路１０２から流出した空気は、第３の導風路１０５により開口を確保され、そのままファン装置外に吐出されることになる。そして、第１の導風部材１０１の第２の導風路１０３から流出した空気（図１（ｂ）のクロス斜線部分）は、すり鉢状の空間１０７を経由して、第２の導風部材１０４の２箇所の開口部である第４の導風路１０６（図１（ｂ）の斜線部分）から吐出される。
【００４０】
なお、第１の導風部材１０１を円錐形状、第２の導風部材１０４を円筒形状としたが、これらは必ずしもこのような形状である必要は無く、空気吐出側正面から見て、これらの開口部分の重複する部分がファン装置の光透過エリアに重ならない構成であればよく、例えば、共に送風手段と平行に配置された板状であってもよい。
【００４１】
また、第１の導風部材１０１は、ハウジング１０と一体的に形成されたものであってもよい。
【００４２】
また、円筒形状の第２の導風部材１０４の円筒面には開口部分が無い構成としたが、必ずしも円筒面に開口部分が無い必要は無く、開口部分があってもよい。
【００４３】
以上より、投写型表示装置やパーソナルコンピュータ等の電子機器の冷却用ファンとして、簡単な構成の本発明のファン装置を使用することにより、投写型表示装置やパーソナルコンピュータ等の電子機器に遮光部材あるいは防塵部材を本発明のファン装置とは別に設ける必要なく、光源ランプユニットなどの不要な光を外部に出すことなく、効率よく冷却できる。また、第１の導風部材１０１と第２の導風部材１０４とで形成されたすり鉢状空間１０７によって、プロペラ１２から発生する周期的な羽根の風切り騒音を、共鳴あるいは干渉することによって大幅に減少させることができ、騒音を極めて小さくすることができる。また、プロペラ１２は、投影的に空気吐出側からは見えないため、直接的なＮｚ騒音（冷却に伴う羽根の回転によって発生する風切り騒音成分）が遮音でき、ファン装置の送風に伴う騒音を大幅に抑制することができる。また、使用者に対し、投写型表示装置やパーソナルコンピュータ等の電子機器の内部を見せたくない場合の冷却ファンとして使用でき、投写型表示装置やパーソナルコンピュータ等の電子機器の品位を大きく向上させることができる。
【００４４】
（実施の形態２）
図５は、本発明の実施の形態２の投写型表示装置の平面図を示し、図６は、側面図を示している。
【００４５】
図５は、光源ランプユニット１と、光源ランプユニット１からの光を集光する照射光学ユニット２と、集光された光を光学的に画像情報として生成するＲ、Ｇ、Ｂの３枚の液晶パネルユニット３と、液晶パネルユニット３の光学情報を色合成する色合成系ユニット４と、画像情報をスクリーン上に拡大投射する投射光学ユニット５と、光源ランプユニット１や装置全体の電気系の駆動源となる図示しない電源ユニットと、光源ランプユニット１と装置全体の排気を行うファン装置２０１とを備えた投写型表示装置を示している。ここで、液晶パネルユニット３は、本発明のライトバルブとしての一例である。本実施の形態２の投写型表示装置は、光源ランプユニット１及び装置内部全体の冷却のためのファン装置２０１として、実施の形態１で説明した本発明のファン装置を使用するものである。
【００４６】
図５及び図６を用いながら、本発明の投写型表示装置における冷却の仕組みについて説明する。
【００４７】
照射光学ユニット２は、光源ランプユニット１からの出射光を、Ｒ，Ｇ，Ｂの色成分に分解して、Ｒ，Ｇ，Ｂの各成分の３枚の液晶パネルユニット３に導く。そして、液晶パネルユニット３は各成分毎の画像情報を形成する。画像情報は、色合成系ユニット４でＲ，Ｇ，Ｂの各成分が合成された後に、投射光学ユニット５により、スクリーンなどに投射される。
【００４８】
ファン装置２０１は、光源ランプユニット１の周りの高温雰囲気を換気及び排気することにより、光源ランプユニット１の高温部を適当に冷却し温度調節する。実施の形態１で説明した動作と同様に、ファン装置２０１のプロペラ１２の回転によって、光源ランプユニット１の高温雰囲気の排気による投写型表示装置の全体的な冷却と、光源ランプユニット１の部分的な所望の温度への調節とがなされる。
【００４９】
排気される空気の流れは、実施の形態１に説明した通りである。つまり、図１に示すように、ファン装置２０１の第２の導風部材１０４の第３の導風路１０５と第４の導風路１０６の３箇所の開口部から空気が吐出される。そして、ファン装置２０１から吐出された空気が、図６に示す投写型表示装置の筐体８に設けられた排気開口部９を経由して投写型表示装置外部へ排出され、冷却が達成される。
【００５０】
なお、以上の説明は、投写型表示装置として、光透過型の液晶パネルユニット３をライトバルブとしたもので説明したが、光学的特性として光学像を形成するライトバルブを用い、光源ランプユニットを用いるものであれば、どのような投写型表示装置にも使用できる。
【００５１】
以上のように、本発明のファン装置を使用することにより、遮光部材を本発明のファン装置とは別に設けることなく、単一のファン装置によって、光源ランプユニットの不要な光成分が装置外部へ漏れ出すという課題を達成できる。従って、従来、排気ファンを高回転にして達成していた冷却が、低回転で実現できる。そのため、ファン装置のＮｚ騒音を極めて低くでき、投写型表示装置全体の騒音を極めて低くできる。
【００５２】
（実施の形態３）
図７に、本発明の実施の形態３の電子機器の概要を示す。
【００５３】
図７において、３０１はパーソナルコンピュータなどの電子機器の筐体である。筐体３０１の内部には、強制空冷での冷却が必要になる程度の、大きな発熱量を有する複数の発熱部材３０２が配置されている。例えば、駆動ＩＣを実装した回路基板やＣＰＵなどがこれにあたる。筐体３０１には、発熱部材３０２の冷却を強制空冷により達成するため、筐体３０１の外部の空気を取り込む吸気開口部と、筐体３０１の内部の高温雰囲気を排出するための排気開口部３０３とが設けられている。３０４は、上記強制空冷するためのファン装置であり、実施の形態１で説明する本発明のファン装置である。
【００５４】
簡単に電子機器の冷却の仕組みを説明する。筐体３０１には、内部の高温雰囲気を換気及び排気させるための、空気の流通口となる排気開口部３０３が設けられている。そして、排気開口部３０３に面する筐体３０１の内部には、本発明のファン装置３０４が設置されている。
【００５５】
ここで、筐体３０１の内部に設置された発熱部材３０２の冷却を実現させるために、ファン装置３０４を駆動させる。そして、筐体３０１の内部の高温雰囲気を排出することにより、筐体３０１の内部及び発熱部材３０２は所望の状態に保たれ、発熱部材３０２の冷却が達成される。
【００５６】
なお、吸気開口部に面する筐体３０１の内部に、本発明のファン装置３０４を設置してもよい。
【００５７】
また、電子機器としてパーソナルコンピュータなどを例にあげて説明したが、オーディオ製品やＡＶ関連機器など、冷却が必要な電子機器であればどのような機器に適用してもよい。
【００５８】
これにより、電子機器の中身、例えば配線状態などが見えないため、電子機器の品位を大幅に向上させることができ、また、内部の配線処理や目隠し部材などを廃止できる。また、電子機器内部へのほこりの侵入を防止でき、冷却が可能になるため、性能劣化しにくく、信頼性の高い電子機器を提供する事ができる。
【００５９】
（実施の形態４）
図８は、本発明の実施の形態４のファン装置の、後述する第１の回動形態を示す。図８（ａ）は平面図であり、図８（ｂ）はモータ１１の回転軸方向、すなわち空気吐出側正面から見た正面図である。図９は、本実施の形態４のファン装置の第２の回動形態を示している。図９（ａ）は平面図であり、図９（ｂ）はモータ１１の回転軸方向から見た正面図である。
【００６０】
図８において、１１は、回転駆動源となるモータである。ハウジング１０の空気吸入側の面は、空気の流れの妨げにならないようスポーク状に形成されている。そのハウジング１０のスポーク状の中心に、モータ１１のステータ側の回転中心が係止されている。１２は、モータ１１の回転体となるロータの外周部に一体的に複数形成された、本発明の送風手段の一例としてのプロペラである。第１の導風部材４０１は、モータ１１の回転によって回転させられるプロペラ１２によって吐出される空気の導風路を構成している。そして、第１の導風部材４０１で構成される導風路は、円錐形状の先端部分の開口部である第１の導風路４０２と、円錐形状壁面の開口部である第２の導風路４０３と、円錐形状内部の空間の主導風路４１０とから構成される。また、第１の導風部材４０１は、ハウジング１０に隙間無く接合されている。
【００６１】
第１の導風部材４０１の概要は、実施の形態１で説明した図２とほぼ同一であり、第２の導風部材４０５の概要は、同じく実施の形態１で説明した図３とほぼ同一である。ここで、実施の形態１のファン装置との相違点は、第１の導風部材４０１の、第２の導風部材４０５との嵌合部分に、第２の導風部材４０５を回転自在とする回動案内手段４０４が設けられていることである。本実施の形態４のファン装置では、第１の導風部材４０１と第２の導風部材４０５を嵌合させた後、第１の導風部材４０１に設けられた回動案内手段４０４に案内されて第２の導風部材４０５が回動自在になるよう係止されている。
【００６２】
図８（ｂ）及び図９（ｂ）で示す矢印は、第２の導風部材４０５が第１の導風部材４０１に対して回動できる範囲を示している。
【００６３】
図８（ｂ）は、第１の回動形態を示している。空気吐出側正面から投影的に見て、第１の導風部材４０１の２箇所の開口部である第２の導風路４０３と、第２の導風部材４０５の２箇所の開口部である第４の導風路４０７とが、全く重ならない位置となる形態である。
【００６４】
図９（ｂ）は、第２の回動形態を示している。クロス斜線で示すように、空気吐出側正面から投影的に見て、第２の導風路４０３と第４の導風路４０７とが、概ね重なる位置となる形態である。
【００６５】
第１の回動形態から第２の回動形態の位置まで、回動案内手段４０４によって第２の導風部材４０５は回動できるようになっている。
【００６６】
次に、図８により、第１の回動形態におけるファン装置の空気の流れを説明する。図８において、駆動源であるモータ１１に所望の回転駆動条件が与えられると、モータ１１は所望の回転数で回転させられ、モータと一体となったプロペラ１２も回転する。ハウジング１０にて形成される導風路１３において、プロペラ１２の上下流で圧力差が生じ、空気は、円錐状の第１の導風部材４０１内の主導風路４１０を案内させられて導風される。
【００６７】
第１の導風部材４０１の円錐状壁面の２箇所の開口部（右上がり斜線部）が、第２の導風路４０３である。従って、第１の導風部材４０１の主導風路４１０を流通するプロペラ１２からの空気は、空気吐出側に向かって、第１の導風路４０２及び第２の導風路４０３の３箇所の開口部から流れ出す。
【００６８】
第１の導風部材４０１の第１の導風路４０２から流出した空気は、第３の導風路４０６により開口を確保され、そのままファン装置外に吐出される。そして、第１の導風部材４０１の第２の導風路４０３から流出した空気（右上がり斜線部）は、すり鉢状の空間４０８を経由して、第２の導風部材４０５の２箇所の開口部である第４の導風路４０７（右下がり斜線部）から吐出される。
【００６９】
第１の回動形態においては、実施の形態１のファン装置と同様に、空気吐出側正面から見た場合には、ファン装置の有する光透過エリアが見えない構成となっている。
【００７０】
次に、図９により、第２の回動形態におけるファン装置の空気の流れを説明する。図９において、駆動源であるモータ１１に所望の回転駆動条件が与えられると、モータ１１は所望の回転数で回転させられ、モータと一体となったプロペラ１２も回転する。ハウジング１０にて形成される導風路１３において、プロペラ１２の上下流で圧力差が生じ、空気は、円錐状の第１の導風部材４０１内の主導風路４１０を案内させられて導風される。そして、第１の導風部材４０１の主導風路４１０を流通するプロペラ１２からの空気は、空気吐出側に向かって、第１の導風路４０２及び第２の導風路４０３の３箇所の開口部から流れ出す。
【００７１】
第１の導風部材４０１の第１の導風路４０２から流出した空気は、第３の導風路４０６により開口を確保され、そのままファン装置外に吐出される。そして、第１の導風部材４０１の第２の導風路４０３から流出した空気は、第２の導風部材４０５の２箇所の開口部である第４の導風路４０７を経由して、結果として図９（ｂ）のクロス斜線部分から吐出される。
【００７２】
第１の導風部材４０１の第２の導風路４０３から流出し、第２の導風部材４０５の第４の導風路４０７を経由して吐出される空気に対する通風抵抗は、第１の回動形態における通風抵抗よりも小さくなる。従って、第１の回動形態よりも冷却効率が上がる。
【００７３】
ここで、空気吐出側正面から投影的に見た、第１の導風路４０２と第２の導風路４０３との３箇所の開口部の面積の総和、及び第３の導風路４０６と第４の導風路４０７との３箇所の開口部の面積の総和は、いずれも、ハウジング１０の導風路面積に比べ、少なくとも３０％以上確保するようにしている。
【００７４】
また、第１の導風部材４０１の回動案内手段４０４は、第１の回動形態から第２の回動形態まで、第２の導風部材４０５を任意の位置で係止できるように構成されている。
【００７５】
また、本実施の形態４では、第１の導風部材４０１は、実施の形態１の場合と同様に、円錐状に形成されていることとしたが、第２の導風部材４０５が回動できる構造であれば、第１の導風部材４０１は円錐状以外の形状であってもよい。
【００７６】
また、回動案内手段４０４は第１の導風部材４０１に設けられている構造としたが、ハウジング１０に設けられている構造であってもよい。また、第１の導風部材４０１がハウジング１０と一体的に形成されていてもよく、その一体的に形成されたものに回動案内手段４０４が設けられている構造であってもよい。
【００７７】
第２の導風部材４０５を第１の導風部材４０１に対して相対的に回動させることによって、第２の導風路４０３と第４の導風路４０７が、空気吐出側正面から見て、完全に重ならない位置から概ね重なる位置まで調整可能となる。従って、ファン装置の風量及び騒音が調整自在となり、冷却対象によって選定の自由度が格段に増加する。
【００７８】
図５で説明した実施の形態２における投写型表示装置において、ファン装置２０１を本実施の形態４のファン装置に置き換えることができる。その場合、内部の光源ランプユニット１の不要な光成分を投写型表示装置の外部へ漏れ出させたくない場合は、第２の導風部材４０５を第１の回動形態の位置まで回動し係止する構成とすればよい。また、反対に、光が投写型表示装置の外部に漏れ出す心配がない場合は、ファン装置の通風抵抗が小さくなる状態、すなわち第２の導風部材４０５を第２の回動形態の位置まで回動し係止する構成とすればよい。
【００７９】
従って、第２の導風部材４０５の回動して係止する位置を選択的に調整することによって、冷却のための風量及び騒音を調整することが可能となる。
【００８０】
また、図７で説明した実施の形態３における電子機器において、ファン装置３０４を本実施の形態４のファン装置に置き換えた場合も、上記投写型表示装置のファン装置２０１を置き換えた場合と同様の効果が得られる。
【００８１】
（実施の形態５）
図１０は、本発明の実施の形態５のファン装置を示す。図１０（ａ）は平面図であり、図１０（ｂ）はモータ１１の回転軸方向、すなわち空気吐出側正面から見た正面図である。
【００８２】
本実施の形態５は、実施の形態４と同様に、第２の導風部材４０５が、第１の導風部材４０１に対して回動できるようになっている。ただし、第２の導風路４０３の形状、第４の導風路４０７の形状、及び回動可能な範囲が、実施の形態４のファン装置とは異なる。
【００８３】
本実施の形態５のファン装置では、第２の導風部材４０５が回動できる範囲は、図１０（ｂ）の矢印の範囲のみである。そして、第２の導風部材４０５をこの回動範囲のいずれの位置に係止させた場合でも、空気吐出側正面から見て、第２の導風路４０３と第４の導風路４０７とは重ならない構造となっている。つまり、空気吐出側正面から見て、空気吸入側の光が透過しないという条件を常に満たす範囲内で、第２の導風部材４０５が回動自在となっている。
【００８４】
本実施の形態５のファン装置の空気の流れは、第２の導風部材４０５が回動できる範囲のいずれの位置に係止させた場合でも、実施の形態４の第１の回動形態における空気の流れと同様となる。従って、本実施の形態５における空気の流れの説明は省略する。
【００８５】
本実施の形態５のファン装置を、例えば図５に示す投射型表示装置の冷却ファンであるファン装置２０１と置き換えて使用することにより、冷却ファンの部分から光を漏らさない、という課題を達成しながら、第２の導風部材４０５を回動させて、自由に冷却のための風量及び騒音を調整することができる。
【００８６】
なお、各実施の形態において、送風手段は軸流ファンのプロペラ形状（プロペラ１２）で説明したが、遠心ファンのブロア形状またはターボファンによる羽根形状であっても差し支えない。
【００８７】
また、空気吐出側正面から投影的に見た、第１の導風路と第２の導風路との開口部の面積の総和、及び第３の導風路と第４の導風路との開口部の面積の総和は、いずれも、ハウジング１０の導風路面積に比べ、少なくとも３０％以上確保することとした。しかし、これらの空気吐出側正面から投影的に見た開口部の面積の総和は、いずれか一方またはいずれもが、ハウジング１０の導風路面積の３０％未満であってもよい。
【００８８】
また、第２の導風路の開口部は２箇所としたが、１箇所であってもよいし、３箇所以上であってもよい。同様に、第４の導風路の開口部も２箇所としたが、１箇所であってもよいし、３箇所以上であってもよい。
【００８９】
なお、各実施の形態のファン装置に対して、送風手段に導電処理を施せば、特別な輻射部材を用いることなく、外部に漏れる不要輻射としてのノイズを極めて少なくすることもできる。
【００９０】
【発明の効果】
本発明により、装置内部の光が外部に漏れず、外部から装置の内部が見えない機構のファン装置等を提供することができる。また別の本発明により、外部からのほこりの侵入を抑制するファン装置等を提供することができる。また別の本発明により、冷却に伴う風切り騒音を低く抑えるファン装置等を提供することができる。
【図面の簡単な説明】
【図１】本発明の実施の形態１のファン装置の平面図及び正面図
【図２】本発明の実施の形態１のファン装置の第１の導風部材の概要図
【図３】本発明の実施の形態１のファン装置の第２の導風部材の概要図
【図４】本発明のファン装置の光透過エリアの説明図
【図５】本発明の実施の形態２の投写型表示装置の平面図
【図６】本発明の実施の形態２の投写型表示装置の側面図
【図７】本発明の実施の形態３の電子機器を示す斜視図
【図８】本発明の実施の形態４のファン装置の第１の回動形態を示す概要図
【図９】本発明の実施の形態４のファン装置の第２の回動形態を示す概要図
【図１０】本発明の実施の形態５のファン装置の概要図
【図１１】従来技術のファン装置を示す概要図
【符号の説明】
１  光源ランプユニット
２  照射光学ユニット
３  液晶パネルユニット
４  色合成系ユニット
５  投射光学ユニット
８  筐体
９  排気開口部
１０  ハウジング
１１  モータ
１２  プロペラ
１３  空気導風路
２０  光透過エリア
１０１、４０１  第１の導風部材
１０２、４０２  第１の導風路
１０３、４０３  第２の導風路
１０４、４０５  第２の導風部材
１０５、４０６  第３の導風路
１０６、４０７  第４の導風路
１０７、４０８  すり鉢状空間
１１０、４１０  主導風路
２０１、３０４  ファン装置
３０１  筐体
３０２  発熱部材
３０３  排気開口部
４０４  回動案内手段
【図１】
2004239221.tif 000003
【図２】
2004239221.tif 000004
【図３】
2004239221.tif 000005
【図４】
2004239221.tif 000006
【図５】
2004239221.tif 000007
【図６】
2004239221.tif 000008
【図７】
2004239221.tif 000009
【図８】
2004239221.tif 000010
【図９】
2004239221.tif 000011
【図１０】
2004239221.tif 000012
【図１１】
2004239221.tif 000013